(57)【要約】【課題】吸込部の切り替えを容易に行うことができる吸込口体提供する。【解決手段】電動送風機と吸込口とを有する掃除機本体２に接続される吸込口体３である。この吸込口体３は掃除機本体２に着脱可能に固定されるベース体１２を備える。また、ベース体１２が掃除機本体２に固定された状態で吸込口８に連通する第１の連通部と、第１の連通部を介して吸込口８に連通する第１の吸込部１４と、第１の連通部を開閉する第１の開閉部とを備える。さらに、ベース体１２が掃除機本体２に固定された状態で吸込口８に連通する第２の連通部と、ベース体１２に対して移動可能で第２の連通部を介して吸込口８に連通する第２の吸込部１７と、第２の連通部を開閉する第２の開閉部とを備える。また、第１の開閉部による第１の連通部の開閉状態、および、第２の開閉部による第２の連通部の開閉状態を切り替える切替スイッチを備える。【選択図】図１
2018000662.tif 000002
【特許請求の範囲】
【請求項１】
電動送風機と吸込口とを有する掃除機本体に接続される吸込口体であって、
前記掃除機本体に固定されるベース体と、
このベース体が前記掃除機本体に固定された状態で前記吸込口に連通する第１の連通部と、
前記第１の連通部を介して前記吸込口に連通する第１の吸込部と、
前記第１の連通部を開閉する第１の開閉部と、
前記ベース体が前記掃除機本体に固定された状態で前記吸込口に連通する第２の連通部と、
前記ベース体に対して移動可能で前記第２の連通部を介して前記吸込口に連通する第２の吸込部と、
前記第２の連通部を開閉する第２の開閉部と、
前記第１の開閉部による前記第１の連通部の開閉状態、および、前記第２の開閉部による前記第２の連通部の開閉状態を切り替える切替スイッチと
を具備することを特徴とする吸込口体。
【請求項２】
ベース体に対して第２の吸込部を固定するための固定部を備え、
切替スイッチは、前記第２の吸込部が前記固定部に固定された状態にて、前記第２の連通部が閉塞されるように前記第２の開閉部を操作する
ことを特徴とする請求項１記載の吸込口体。
【請求項３】
第１の開閉部と第２の開閉部とが連動し、第１の連通部が開放されている場合には第２の連通部が閉塞され、前記第１の連通部が閉塞されている場合には前記第２の連通部が開放される
ことを特徴とする請求項１または２記載の吸込口体。
【請求項４】
第１の連通部が閉塞され、第２の連通部が開放されるように第１の開閉部および第２の開閉部を付勢する付勢手段を備え、
切替スイッチは、前記付勢手段の付勢に抗して前記第１の開閉部および前記第２の開閉部を操作可能である
ことを特徴とする請求項１ないし３いずれか一記載の吸込口体。
【請求項５】
第２の吸込部は、固定部に固定される被固定部と、この被固定部が前記固定部に固定された状態にて切替スイッチに係合される被係合部とを有し、前記固定部に前記被固定部を固定して前記切替スイッチに被係合部が係合されることにより、切替スイッチが操作される
ことを特徴とする請求項２ないし４いずれか一記載の吸込口体。
【請求項６】
第２の吸込部は、変形可能な管状部を介してベース体に接続されている
ことを特徴とする請求項１ないし５いずれか一記載の吸込口体。
【請求項７】
第１の吸込部は、第１の連通部から連通して立設された吸込管部と、この吸込管部の周囲に設けられたブラシ部とを有し、
第２の吸込部は、先端に設けられたブラシ部を有する
ことを特徴とする請求項１ないし６いずれか一記載の吸込口体。
【請求項８】
電動送風機と吸込口とを有する掃除機本体と、
請求項１ないし７いずれか一記載の吸込口体と
を具備すること特徴とする電気掃除機。
【発明の詳細な説明】
【技術分野】
【０００１】
本発明は、複数の吸込部を有する吸込口体および電気掃除機に関する。
【背景技術】
【０００２】
従来のハンディタイプの電気掃除機は、電動送風機を有する本体に集塵ケースが装着され、被掃除面を近接対向される吸込部を有する吸込口体が、集塵ケースの吸込口に連通するように設けられている。
【０００３】
そして、電動送風機を駆動させた状態で、吸込部を被掃除面に近接対向させることで、その被掃除面の例えば塵垢等の被吸込物を吸い込ませる。
【０００４】
この種の電気掃除機としては、例えば特許文献１に示すように、集塵ケースに着脱可能な吸込口体としての粉塵用ノズル３６および隙間用ノズル３７を有し、粉塵用ノズル３６のみを取り付けるか、粉塵ノズル３６の先端に隙間用ノズル３７を取り付けるかを選択して、複数の吸込部を選択可能な構成が知られている。
【０００５】
すなわち、この特許文献１のような電気掃除機では、複数種類の吸込口体を付け替えることで、例えば被掃除面の狭さや被掃除面の載置物の配置等の使用環境に応じて、複数の吸込部を選択可能である。
【先行技術文献】
【特許文献】
【０００６】
【特許文献１】特開２００４−４１７６０号公報
【発明の概要】
【発明が解決しようとする課題】
【０００７】
しかしながら、上記特許文献１のような構成では、使用環境に応じて吸込部を切り替える際には、吸込口体を付け替える必要があり、吸込部の切替作業が煩雑でるとともに、取り外された吸込口体を紛失してしまう可能性があった。
【０００８】
したがって、吸込部の切替作業が容易な吸込口体および電気掃除機が求められていた。
【０００９】
本発明はこのような点に鑑みなされたもので、吸込部の切り替えを容易に行うことができる吸込口体および電気掃除機を提供することを目的とする。
【課題を解決するための手段】
【００１０】
請求項１に記載された吸込口体は、電動送風機と吸込口とを有する掃除機本体に接続される吸込口体であって、前記掃除機本体に固定されるベース体と、このベース体が前記掃除機本体に固定された状態で前記吸込口に連通する第１の連通部と、前記第１の連通部を介して前記吸込口に連通する第１の吸込部と、前記第１の連通部を開閉する第１の開閉部と、前記ベース体が前記掃除機本体に固定された状態で前記吸込口に連通する第２の連通部と、前記ベース体に対して移動可能で前記第２の連通部を介して前記吸込口に連通する第２の吸込部と、前記第２の連通部を開閉する第２の開閉部と、前記第１の開閉部による前記第１の連通部の開閉状態、および、前記第２の開閉部による前記第２の連通部の開閉状態を切り替える切替スイッチとを具備するものである。
【００１１】
請求項２に記載された吸込口体は、請求項１記載の吸込口体において、ベース体に対して第２の吸込部を固定するための固定部を備え、切替スイッチは、前記第２の吸込部が前記固定部に固定された状態にて、前記第２の連通部が閉塞されるように前記第２の開閉部を操作するものである。
【００１２】
請求項３に記載された吸込口体は、請求項１または２記載の吸込口体において、第１の開閉部と第２の開閉部とが連動し、第１の連通部が開放されている場合には第２の連通部が閉塞され、前記第１の連通部が閉塞されている場合には前記第２の連通部が開放されるものである。
【００１３】
請求項４に記載された吸込口体は、請求項１ないし３いずれか一記載の吸込口体において、第１の連通部が閉塞され、第２の連通部が開放されるように第１の開閉部および第２の開閉部を付勢する付勢手段を備え、切替スイッチは、前記付勢手段の付勢に抗して前記第１の開閉部および前記第２の開閉部を操作可能であるものである。
【００１４】
請求項５に記載された吸込口体は、請求項２ないし４いずれか一記載の吸込口体において、第２の吸込部は、固定部に固定される被固定部と、この被固定部が前記固定部に固定された状態にて切替スイッチに係合される被係合部とを有し、前記固定部に前記被固定部を固定して前記切替スイッチに被係合部が係合されることにより、切替スイッチが操作されるものである。
【００１５】
請求項６に記載された吸込口体は、請求項１ないし５いずれか一記載の吸込口体において、第２の吸込部は、変形可能な管状部を介してベース体に接続されているものである。
【００１６】
請求項７に記載された吸込口体は、請求項１ないし６いずれか一記載の吸込口体において、第１の吸込部は、第１の連通部から連通して立設された吸込管部と、この吸込管部の周囲に設けられたブラシ部とを有し、第２の吸込部は、先端に設けられたブラシ部を有するものである。
【００１７】
請求項８に記載された電気掃除機は、電動送風機と吸込口とを有する掃除機本体と、請求項１ないし７いずれか一記載の吸込口体とを具備するものである。
【発明の効果】
【００１８】
本発明によれば、切替スイッチにより、第１の開閉部による第１の連通部の開閉状態、および、第２の開閉部による第２の連通部の開閉状態を切り替えることができるので、第１の吸込部と第２の吸込部との切り替えを容易に行うことができる。
【図面の簡単な説明】
【００１９】
【図１】本発明の一実施の形態に係る電気掃除機の構成を示す平面図である。
【図２】同上電気掃除機における掃除機本体を示す側面図である。
【図３】同上電気掃除機における吸込口体を示す斜視図である。
【図４】同上電気掃除機の吸込口体において、第１の連通部が開放され、第１の連通部が閉塞された状態を示す平面図である。
【図５】同上電気掃除機の吸込口体において、第１の連通部が閉塞され、第１の連通部が開放された状態を示す平面図である。
【発明を実施するための形態】
【００２０】
以下、本発明の一実施の形態の構成について図面を用いて詳細に説明する。
【００２１】
図１において、１は電気掃除機を示し、この電気掃除機１は例えばハンディタイプで、電動送風機を有する掃除機本体２に、吸込口体３が着脱可能に取り付けられている。
【００２２】
図２に示すように、掃除機本体２は、電動送風機が設けられた本体ケース４と、この本体ケース４に取外可能に装着された集塵ケース５とを有している。
【００２３】
本体ケース４の外周面には、電動送風機の吸気口に連通する図示しない吸気部と、電動送風機の排気口に連通する図示しない排気部と、電動送風機の駆動をオン・オフ切替する操作スイッチ６とが設けられている。
【００２４】
そして、操作スイッチ６を押圧することで、電動送風機が駆動し、吸気部から吸気し排気部から排気することで、吸込口体３内に空気の流れを生じさせて、これら電気掃除機１の吸引力となる。
【００２５】
集塵ケース５は、内部が空洞の筒形のケース体であり、本体ケース４に対して水密に装着される。
【００２６】
このような集塵ケース５は、軸方向の一端部が閉塞され、他端部に位置する本体接続部７が、本体ケース４の吸気部にフィルタを介して連通するように接続される。
【００２７】
また、集塵ケース５の外側面の一部には、吸込口８が開口されている。
【００２８】
そして、電動送風機の駆動により吸い込まれた被吸込物は、吸込口８から集塵ケース５内に収容される。また、集塵ケース５から掃除機本体２内への被吸込物の移動は、吸気部に設けられたフィルタによって防止される。すなわち、被吸込物が集塵ケース内に収容された状態が保持される。
【００２９】
また、吸込口８には弁部材９が設けられており、集塵ケース５内に収容された被吸込物の逆流が防止されている。
【００３０】
このような掃除機本体２の側面には、被取付部１１が設けられている。この被取付部１１は、吸込口体３が着脱可能に水密に取り付けられる箇所であり、本体ケース４から集塵ケース５に亘って設けられている。
【００３１】
また、被取付部１１の縁部には、被取付部１１に吸込口体３が取り付けられた取付状態を保持するための、係合爪部１１ａが設けられている。
【００３２】
図３に示すように、吸込口体３は、掃除機本体２に着脱可能に固定されるベース体１２を備えている。
【００３３】
また、吸込口体３は、ベース体１２が掃除機本体２に固定された状態にて、吸込口８に連通する第１の連通部１３と、この第１の連通部１３を介して吸込口８に連通する第１の吸込部１４と、第１の連通部１３を開閉する第１の開閉部１５とを有している。
【００３４】
さらに、吸込口体３は、ベース体１２が掃除機本体２に固定された状態にて、吸込口８に連通する第２の連通部１６と、この第２の連通部１６を介して吸込口８に連通しベース体１２に対して移動可能な第２の吸込部１７と、第２の連通部１６を開閉する第２の開閉部１８と有している。
【００３５】
また、ベース体１２は、第１の開閉部１５による第１の連通部１３の開閉状態、および、第２の開閉部１８による第２の連通部１６の開閉状態を切り替える切替スイッチ１９を有している。
【００３６】
ベース体１２は、掃除機本体２の被取付部１１に取付可能な取付部２１を有しており、取付部２１には、被取付部１１に取り付けられた状態で、係合爪部１１ａと係合可能な図示しない係合孔部が設けられている。
【００３７】
第１の吸込部１４は、ベース体１２における取付部２１により形成される仮想面と対向する面に設けられ、第１の連通部１３は、その第１の吸込部１４に対応するようにベース体１２内に設けられている。すなわち、掃除機本体２にベース体１２が固定された状態では、ベース体１２内において第１の連通部１３と吸込口８とが対向し、その第１の連通部１３の外側に第１の吸込部１４が配置される。
【００３８】
また、第１の吸込部１４は、第１の連通部１３に連通する図示しない吸込開口部を有し、この吸込開口部には、第１の連通部１３に連通する複数の吸込管部２２が接続されている。すなわち、吸込管部２２は、第１の連通部１３の反対側に位置する吸込開口部から外側へ突出するように立設されている。また、これら吸込管部２２の周囲には、ブラシ部２３が吸込管部２２と同方向に立設されている。
【００３９】
そして、第１の吸込部１４は、被掃除面の被吸込物を、ブラシ部２３によってかき出しながら吸込管部２２によって吸い込むことが可能である。
【００４０】
図４に示すように、第１の連通部１３は、第１の吸込部１４の吸込開口部から掃除機本体２側に互いに離間して配置された複数の円形状の連通開口部２４によって構成されている。
【００４１】
そして、第１の吸込部１４の吸込開口部と第１の連通部１３の連通開口部２４との間には、板状の第１の開閉部１５が、第１の連通部１３に接触した状態で、図４および図５において視認される左右方向にスライド可能に設けられている。
【００４２】
第１の開閉部１５は、連通開口部２４と同形状の複数の貫通孔２５が設けられている。これら貫通孔２５は、連通開口部２４に対応して配置されている。
【００４３】
なお、以下、特に説明が無い限り、「左」という記載は、図４および図５において視認される状態における左方向を示し、「右」という記載は、図４および図５において視認される状態における右方向を示す。
【００４４】
そして、図５に示すように、第１の開閉部１５を第１の吸込部１４および第１の連通部１３に対して一方側である右方向へスライドさせることで、連通開口部２４と貫通孔２５とが重なるように配置され、連通開口部２４が開放されて、第１の吸込部１４と第１の連通部１３とが連通する。
【００４５】
また、図４に示すように、第１の開閉部１５を第１の吸込部１４および第１の連通部１３に対して他方側である左方向へスライドさせることで、連通開口部２４と貫通孔２５とが重ならないように配置される。すなわち、図４に示す状態では、連通開口部２４が第１の開閉部１５における貫通孔２５が配置されない領域に対応するように配置されて、連通開口部２４が閉塞され、第１の吸込部１４と第１の連通部１３との連通が遮断される。
【００４６】
第２の吸込部１７は、変形可能な管状部としての蛇腹状のホース部２６を介して、第２の連通部１６に接続されている。
【００４７】
具体的に説明すると、ベース体１２の側面における長手方向の端部近傍には第２の連通部１６に連通した接続部２７が設けられており、ホース部２６の基端部（一端部）を接続部２７に水密に接続させ、ホース部２６の先端部（他端部）を第２の吸込部１７に水密に接続させることで、ホース部２６を介して第２の吸込部１７と第２の連通部１６とが連通する。
【００４８】
また、第２の吸込部１７の先端の吸込開口部２８には、ブラシ部２９が設けられている。
【００４９】
そして、第２の吸込部１７は、ホース部２６を撓ませたり伸縮させたりして変形させることで、ベース体１２に対してフレキシブルに移動可能であり、ブラシ部２９で被掃除面の被吸込物をかき出しながら吸込開口部２８から吸い込むことができる。
【００５０】
第２の連通部１６は、接続部２７に接続された筒状の連通筒部３１と、この連通筒部３１の側面を貫通して設けられた連通開口部３２とを有している。
【００５１】
連通筒部３１は、軸方向の一端部が接続部に接続され、軸方向の他端部がベース体１２の内側面で閉塞されている。
【００５２】
連通開口部３２は、ベース体１２内においてそのベース体１２の長手方向の内側、すなわち第１の連通部１３側に位置するように連通筒部３１の側面に設けられている。
【００５３】
第２の開閉部１８は、ベース体１２内で連通開口部３２に離接するようにスライド可能である。
【００５４】
また、第２の開閉部１８における第１の開閉部１５とは反対側の端部に、連通開口部３２に対応した形状の蓋部３３が設けられている。
【００５５】
このような第２の開閉部１８は、第１の開閉部１５の一端部に一体に接続され、第１の開閉部１５のスライドに連動してベース体１２内でスライド可能である。
【００５６】
そして、第２の開閉部１８は、図４に示すように、ベース体１２内で第１の開閉部１５とともに右方向へスライドすることにより第２の連通部１６に接近して、蓋部３３が連通開口部３２を閉塞し、第２の吸込部１７と第２の連通部１６との連通が遮断されるとともに、第１の吸込部１４と第１の連通部１３とが連通される。
【００５７】
また、第２の開閉部は、図５に示すように、ベース体１２内で第１の開閉部１５とともに左方向へスライドすることにより第２の連通部１６から離間して、連通開口部３２が開放され、第２の吸込部１７と第２の連通部１６とが連通されるとともに、第１の吸込部１４と第１の連通部１３との連通が遮断される。
【００５８】
ここで、第２の開閉部１８は、付勢手段としてのばね３４が取り付けられて形成される付勢部３５と、ベース体１２内における第２の開閉部１８のスライド移動をガイドするガイド部３６とを有している。
【００５９】
付勢部３５は、第１の連通部１３側が側壁部３５ａで閉塞され、接続部２７側が開口されており、ばね３４を設置可能な空間が確保されている。
【００６０】
ガイド部３６は、互いに平行に配置された２つのレール部３６ａにて構成され、これらレール部３６ａは、ベース体１２内における第２の開閉部１８のスライド方向に対して傾斜状に配置されている。
【００６１】
そして、ばね３４の一端部が接続部２７に固定され、ばねの他端部が側壁部３５ａに固定されて、通常時には、第２の開閉部１８が左方向へスライドするようにばね３４で付勢されている。
【００６２】
すなわち、第１の開閉部１５および第２の開閉部１８は、第１の連通部１３が閉塞され第２の連通部１６が開放されるように、ばね３４によってベース体１２内における左方向へ付勢されている。
【００６３】
また、第１の開閉部１５および第２の開閉部１８は、ばね３４の付勢に抗してベース体１２において右方向へスライドさせることで、第１の連通部が開放され、第２の連通部１６が閉塞される。
【００６４】
切替スイッチ１９は、ガイド部３６に係合した状態でガイド部３６内（レール部３６ａ間）をスライド可能なスライド部３７と、このスライド部３７に一体に接続された操作部３８とを有している。
【００６５】
スライド部３７は、レール部３６ａ間に挿入して係合可能であり、レール部３６ａに沿ってスライド可能である。
【００６６】
操作部３８は、スライド部３７におけるレール部３６ａとは反対側に一体に接続され、第２の開閉部１８内で第２の開閉部１８のスライド方向とは垂直な方向にスライド部３７とともにスライド可能である。
【００６７】
また、切替スイッチ１９は、図４に示すように、第２の開閉部１８がばね３４で付勢されて左方向にスライドした状態では、スライド部３７がレール部３６ａにおける一方側（第２の連通部１６側）に配置され、かつ、操作部３８の先端部がベース体１２の側面に設けられた貫通孔３９から突出している。
【００６８】
一方、操作部３８の突出した部分をベース体１２内へ向けて押し込むように押圧することにより、操作部３８とともにスライド部３７が第２の開閉部１８のスライド方向とは垂直な方向にスライドする。また、このようにスライド部３７がスライドすることにより、スライド部３７がレール部３６ａの他方側（第１の連通部１３側）に移動し相対的にガイド部３６が第２の連通部１６側に移動して、第１の開閉部１５および第２の開閉部１８がばね３４の付勢に抗して右方向へスライドする。
【００６９】
ここで、ベース体１２には、第２の吸込部１７を固定するための固定部４１が設けられている。この固定部４１は、ベース体１２の側面において、切替スイッチ１９の操作部３８の位置に対応して配置されている。
【００７０】
また、第２の吸込部１７は、固定部４１に固定される被固定部４２と、この被固定部４２が固定部４１に固定された状態にて、切替スイッチ１９の操作部３８の先端部に係合可能な被係合部４３とを有している。
【００７１】
そして、被固定部４２が固定部４１に固定されると、操作部３８の先端部に被係合部４３が係合されて、操作部３８がベース体１２内へ向かって押し込まれるように操作される。
【００７２】
すなわち、切替スイッチ１９は、第２の吸込部１７が固定部４１に固定されていない状態では、第２の連通部１６が閉塞され、かつ、第１の連通部１３が開放されるように、ばね３４の付勢を利用して第１の開閉部１５および第２の開閉部１８を操作する。
【００７３】
また、切替スイッチ１９は、第２の吸込部１７が固定部４１に固定された状態では、第２の連通部１６が閉塞され、かつ、第１の連通部１３が開放されるように、ばね３４の付勢に抗して第１の開閉部１５および第２の開閉部１８を操作する。
【００７４】
次に、上記一実施の形態の作用および効果を説明する。
【００７５】
図１に示すように、第２の吸込部１７が固定部４１に固定された状態の電気掃除機１にて、被掃除面を掃除する際には、被掃除面の狭さや周囲の載置物の配置等から、第１の吸込部１４を使用するか、第２の吸込部１７を使用するかを選択する。
【００７６】
第１の吸込部１４を使用する場合には、第２の吸込部１７が固定部４１に固定されたままの状態で、操作スイッチ６を押圧して電動送風機を駆動させる。
【００７７】
第２の吸込部１７が固定部４１に固定された状態の吸込口体３は、図５に示すように、切替スイッチ１９によって、ばね３４の付勢力に抗して第１の開閉部１５および第２の開閉部１８がベース体１２内の右方向へスライドされているため、第１の連通部１３が開放され、第２の連通部１６が閉塞されている。そのため、第１の吸込部１４のみから吸引力が発生し、第１の吸込部１４で被吸込物を吸い込むことができる。
【００７８】
また一方、第２の吸込部１７を使用する場合には、固定部４１から第２の吸込部１７を取り外す。
【００７９】
第２の吸込部１７が固定部４１から取り外されると、図４に示すように、ばね３４の付勢力によって第１の開閉部１５および第２の開閉部１８が左方向へスライドされるため、第１の連通部１３が閉塞され、第２の連通部１６が開放される。そのため、第２の吸込部１７のみから吸引力が発生し、その第２の吸込部１７を任意に移動させながら、フレキシブルに被掃除面から被吸込物を吸引して掃除する。
【００８０】
そして、上記一実施の形態によれば、第１の連通部１３の開閉状態、および、第２の連通部１６の開閉状態を切り替える切替スイッチを備えているため、その切替スイッチ１９によって、第１の連通部１３の開閉状態、および、第２の連通部１６の開閉状態を切り替えるだけで、第１の吸込部１４と第２の吸込部１７との切替を容易に行うことができる。したがって、使用環境に応じて、第１の吸込部１４と第２の吸込部１７とを容易に選択して使用できる。
【００８１】
また、吸込口体３の第１の吸込部１４および第２の吸込部１７と掃除機本体２との間で空気が流れるように開通されていれば、電動送風機を駆動することにより、第１の吸込部１４および第２の吸込部１７から吸込口８に向けて空気の流れが生じて、これが吸引力となる。そして、実際に被掃除面を掃除する際には、第１の吸込部１４および第２の吸込部のうちのいずれか一方のみを被掃除面に近接対向させて用いることが多い。その場合には、第１の吸込部１４および第２の吸込部１７のうちの使用する一方のみが開通され他方が遮断された方が、使用する方に電動送風機による吸引力を集中させてより強力な吸引力を確保できるため好ましい。したがって、第１の開閉部１５による第１の連通部１３の開閉状態、および、第２の開閉部１８による第２の連通部１６の開閉状態を、切替スイッチ１９によって切替可能な構成にすることにより、電動送風機による吸引力を集中させることができ、より確実に被掃除面を掃除できる。
【００８２】
さらに、吸込口体３は、第２の吸込部１７を使用しない状態では、第２の吸込部１７が固定部４１に固定されていることが想定される。したがって、第２の吸込部１７が固定部４１に固定されることにより、切替スイッチ１９によって第２の連通部１６が閉塞されるように第２の開閉部１８が操作される構成とすることで、第２の吸込部１７の使用に応じその第２の吸込部１７の固定部４１への着脱にともなって、第２の開閉部１８による第２の連通部１６の開閉状態を自動的に切り替えることができるため、操作性を向上できる。
【００８３】
第１の開閉部１５と第２の開閉部１８とが連動し、第１の連通部１３が開放されている場合には第２の連通部１６が閉塞され、第１の連通部１３が閉塞されている場合には第２の連通部１６が開放される構成にすることにより、第１の連通部１３の開閉および第２の連通部１６の開閉を容易に切り替えることができる。
【００８４】
また、通常、第１の吸込部１４を使用する際には第２の吸込部１７は使用せず、第２の吸込部１７を使用する際には第１の吸込部１３を使用しない場合が多いため、第１の開閉部１５と第２の開閉部１８とが連動することで、実際の使用状況に応じた切替動作を容易にでき、操作性を向上できる。
【００８５】
第１の開閉部１５および第２の開閉部１８は、第１の連通部１３が閉塞され、第２の連通部１６が開放されるように付勢手段としてばね３４で付勢されているため、操作性を向上できる。
【００８６】
第２の吸込部１７は、被固定部４２が固定部４１に固定された状態で切替スイッチ１９の操作部３８に係合してこの切替スイッチ１９を操作する被係合部４３を有し、固定部４１への被固定部４２の着脱によって切替スイッチ１９を操作可能であるため、固定部４１に第２の吸込部１７を着脱するだけで、第１の連通部１３の開閉状態や第２の連通部１６の開閉状態を操作でき、操作性を向上できる。
【００８７】
また、第２の吸込部１７は、変形可能なホース部２６を介してベース体１２に接続されているため、ホース部２６を適宜変形させることで、ベース体１２に対してフレキシブルに移動可能であり、被掃除面をより適切に掃除できる。
【００８８】
第１の吸込部１４は、第１の連通部１３から連通して立設された吸込管部２２と、この吸込管部２２の周囲に設けられたブラシ部２３とを有するため、第１の吸込部１４を使用する場合に、被吸込物をブラシ部２３でかき出しながら吸込管部２２で吸い込むことができる。
【００８９】
第２の吸込部は、先端部にブラシ部２３が設けられているため、第２の吸込部１７を使用する場合に、被吸込物をブラシ部２３でかき出しながら吸い込むことができる。
【００９０】
なお、上記一実施の形態では、吸込口体３が掃除機本体２に対して着脱可能な構成としたが、このような構成には限定されず、掃除機本体２と吸込口体３と一体的に接続された構成等にしてもよい。
【００９１】
吸込口体３は、ベース体１２に第２の吸込部１７を固定するための固定部４１が設けられた構成としたが、このような構成には限定されず、固定部４１が設けられていない構成にしてもよい。
【００９２】
また、吸込口体４は、第１の開閉部１５と第２の開閉部１８とが連動する構成としたがこのような構成には限定されず、これら第１の開閉部１５と第２の開閉部１８とが別個に作動する構成にしてもよい。
【００９３】
第１の開閉部１５および第２の開閉部１８は、第１の連通部１３が閉塞され第２の連通部１６が開放されるように付勢手段としてのばね３４で付勢された構成としたが、このような構成には限定されず、第１の連通部１３が開放され第２の連通部１６が閉塞されるように付勢される構成や、ばね３４が設けられていない構成等にしてもよい。
【００９４】
吸込口体３は、固定部４１に第２の吸込部１７が固定された状態で、その第２の吸込部１７の被係合部４３が切替スイッチ１９の操作部３８に係合して、切替スイッチ１９が操作される構成としたが、このような構成には限定されず、固定部４１の着脱と、切替スイッチ１９の作動とが関係していない構成等にしてもよい。
【００９５】
第１の吸込部１４は、第１の連通部１３に連通した吸込管部２２と、その周囲に設けられたブラシ部２９とを有する構成としたが、このような構成には限定されず、被掃除面から被吸込物を吸い込むことができる構成であればよい。
【００９６】
第２の吸込部１７は、変形可能な管状部としてのホース部２６を介してベース体１２に接続された構成としたが、このような構成には限定されず、ベース体１２に対して移動可能な構成であればよい。
【００９７】
また、第２の吸込部１７は、先端にブラシ部２９が設けられた構成としたが、このような構成には限定されず、被掃除面から被吸込物を吸い込むことができる構成であればよい。
【符号の説明】
【００９８】
１    電気掃除機
２    掃除機本体
３    吸込口体
８    吸込口
１２  ベース体
１３  第１の連通部
１４  第１の吸込部
１５  第１の開閉部
１６  第２の連通部
１７  第２の吸込部
１８  第２の開閉部
１９  切替スイッチ
２２  吸込管部
２３  ブラシ部
２６  管状部としてのホース部
２９  ブラシ部
３４  付勢手段としてのばね
４１  固定部
４２  被固定部
４３  被係合部
【図１】
2018000662.tif 000003
【図２】
2018000662.tif 000004
【図３】
2018000662.tif 000005
【図４】
2018000662.tif 000006
【図５】
2018000662.tif 000007